(57)【要約】【課題】メンテナンス性を向上できるシャワーヘッドを提供すること。【解決手段】シャワーヘッド２は、カバー部材３と、少なくとも一部がカバー部材３の内部に配置され、水が流通する通水路を形成すると共に、第１空気導入孔６４を有する通水路形成部材６と、通水路形成部材６の上流側の端部近傍に配置され、通水路形成部材６の内部を流通する水の流路を絞る絞り部材７と、を備え、絞り部材７は、通水路形成部材６に対して着脱可能に構成される。【選択図】図３
2018114024.tif 000002
【特許請求の範囲】
【請求項１】
カバー部材と、
少なくとも一部が前記カバー部材の内部に配置され、水が流通する通水路を形成すると共に、第１空気導入孔を有する通水路形成部材と、
前記通水路形成部材の上流側の端部近傍に配置され、前記通水路形成部材の内部を流通する水の流路を絞る絞り部材と、を備え、
前記絞り部材は、前記通水路形成部材に対して着脱可能に構成されるシャワーヘッド。
【請求項２】
前記絞り部材は、上流側に配置され且つ流路を狭めるノズル部材と、下流側に配置され且つ流路を拡げるディフューザー部材と、によりユニット化されて構成される請求項１に記載のシャワーヘッド。
【請求項３】
前記絞り部材は、前記第１空気導入孔に係脱可能な係合部を有する請求項１又は２に記載のシャワーヘッド。
【請求項４】
前記カバー部材と前記通水路形成部材との間に形成され、前記第１空気導入孔と前記カバー部材の外部とを連通する第２空気導入孔を有する請求項１から３のいずれかに記載のシャワーヘッド。
【請求項５】
前記第１空気導入孔及び前記第２空気導入孔は、前記通水路形成部材の内部を下流側から上流側に戻る水を排出する排水孔を兼用する請求項４に記載のシャワーヘッド。
【請求項６】
前記第２空気導入孔は、前記シャワーヘッドの前側及び／又は後側に配置される請求項４又は５に記載のシャワーヘッド。
【請求項７】
水が流通する通水路を形成すると共に第１空気導入孔を有する通水路形成部材に配置され、前記通水路形成部材の内部を流通する水の流路を絞る絞り部材であって、
前記絞り部材は、前記第１空気導入孔に係脱可能な爪部を有することにより、前記通水路形成部材に対して着脱可能に構成される絞り部材。
【発明の詳細な説明】
【技術分野】
【０００１】
本発明は、シャワーヘッド及び絞り部材に関する。
【背景技術】
【０００２】
従来、カバー部材と、カバー部材の内部に配置され空気導入孔を有する通水路形成部材と、水の流路を絞る絞り部材と、を備え、通水路形成部材の空気導入孔を介して空気を導入するシャワーヘッドが知られている（例えば、特許文献１、２参照）。
特許文献１に記載のシャワーヘッドの絞り部材は、通水路形成部材の下流側において、通水路形成部材を２つの部材に分割した２つの部材の接続部分に配置されている。
また、特許文献２に記載のシャワーヘッドにおいては、絞り部材が、通水路形成部材の最上流側の端部に固定されている。特許文献２に記載のシャワーヘッドの絞り部材の下端部は、ホース取付部を構成し、絞り部材の下端部には、シャワーヘッドに水を供給するホースが着脱可能に取り付けられる。
【先行技術文献】
【特許文献】
【０００３】
【特許文献１】特許第４６３２１０６号公報
【特許文献２】特許第５７７９７３３号公報
【発明の概要】
【発明が解決しようとする課題】
【０００４】
特許文献１に記載のシャワーヘッドにおいては、通水路形成部材を２つの部材に分割して組み付けられるため接続部分が多くなり、組み付け性が悪くなりがちである。また、絞り部材が通水路形成部材の下流側に配置されると共に、通水路形成部材がカバー部材の内部に配置されているため、絞り部材を取り出してメンテナンスを行う場合には、通水路形成部材をカバー部材から取り外す必要がある。そのため、絞り部材のメンテナンスを行いにくい。
また、特許文献２に記載のシャワーヘッドにおいては、絞り部材が、通水路形成部材と一体となっており、通水路形成部材の最上流側の端部に対して着脱不能に固定されているため、絞り部材のメンテナンスを行いにくい。
そのため、絞り部材のメンテナンス性を向上できることが望まれる。
また、シャワーヘッド以外における通水路形成部材に配置される絞り部材にも、シャワーヘッドに配置される絞り部材と同様の理由で、メンテナンス性を向上できることが望まれる。
【０００５】
本発明は、メンテナンス性を向上できるシャワーヘッド及び絞り部材を提供することを目的とする。
【課題を解決するための手段】
【０００６】
本発明は、カバー部材（例えば、後述のカバー部材３）と、少なくとも一部が前記カバー部材の内部に配置され、水が流通する通水路を形成すると共に、第１空気導入孔（例えば、後述の通水路形成部材側空気導入孔６４）を有する通水路形成部材（例えば、後述の通水路形成部材６）と、前記通水路形成部材の上流側の端部近傍に配置され、前記通水路形成部材の内部を流通する水の流路を絞る絞り部材（例えば、後述のオリフィス部材７）と、を備え、前記絞り部材は、前記通水路形成部材に対して着脱可能に構成されるシャワーヘッド（例えば、後述のシャワーヘッド２）に関する。
【０００７】
また、前記絞り部材は、上流側に配置され且つ流路を狭めるノズル部材（例えば、後述のノズル部材７１）と、下流側に配置され且つ流路を拡げるディフューザー部材（例えば、後述のディフューザー部材７２）と、によりユニット化されて構成されることが好ましい。
【０００８】
また、前記絞り部材は、前記第１空気導入孔に係脱可能な係合部（例えば、後述のオリフィス部材取付用係合部７２４）を有することが好ましい。
【０００９】
また、前記カバー部材と前記通水路形成部材との間に形成され、前記第１空気導入孔と前記カバー部材の外部とを連通する第２空気導入孔（例えば、後述の外部連通空気導入孔３０１）を有することが好ましい。
【００１０】
また、前記第１空気導入孔及び前記第２空気導入孔は、前記通水路形成部材の内部を下流側から上流側に戻る水を排出する排水孔を兼用することが好ましい。
【００１１】
また、前記第２空気導入孔は、前記シャワーヘッドの前側及び／又は後側に配置されることが好ましい。
【００１２】
また、本発明は、水が流通する通水路を形成すると共に第１空気導入孔を有する通水路形成部材に配置され、前記通水路形成部材の内部を流通する水の流路を絞る絞り部材であって、前記絞り部材は、前記第１空気導入孔に係脱可能な爪部（例えば、後述のオリフィス部材取付用爪部７２４ｂ）を有することにより、前記通水路形成部材に対して着脱可能に構成される絞り部材に関する。
【発明の効果】
【００１３】
本発明によれば、メンテナンス性を向上できるシャワーヘッド及び絞り部材を提供することができる。
【図面の簡単な説明】
【００１４】
【図１】本発明の一実施形態としてのシャワー装置を示す縦断面図である。
【図２】図１におけるシャワーヘッドの部分拡大図である。
【図３】本発明のシャワーヘッドの通水路形成部材からオリフィス部材を取り外した状態を示す斜視図である。
【図４】オリフィス部材と通水路形成部材との係合状態を示す横断面斜視図である。
【図５】オリフィス部材をノズル部材とディフューザー部材とに分離した状態を示す斜視図である。
【図６】図２におけるＡ−Ａ線断面図である。
【図７】図６におけるＢ−Ｂ線においてシャワーヘッドを切断した断面図である。
【図８】図６におけるＣ−Ｃ線においてシャワーヘッドを切断した断面図である。
【図９】図７におけるＤ−Ｄ線においてシャワーヘッドを切断した断面図である。
【発明を実施するための形態】
【００１５】
以下、本発明のシャワー装置１の好ましい一実施形態について、図面を参照しながら説明する。図１は、本発明の一実施形態としてのシャワー装置１を示す縦断面図である。図２は、図１におけるシャワーヘッド２の部分拡大図である。図３は、本発明のシャワーヘッド２の通水路形成部材６からオリフィス部材７を取り外した状態を示す斜視図である。図４は、オリフィス部材７と通水路形成部材６との係合状態を示す横断面斜視図である。図５は、オリフィス部材７をノズル部材７１とディフューザー部材７２とに分離した状態を示す斜視図である。図６は、図２におけるＡ−Ａ線断面図である。図７は、図６におけるＢ−Ｂ線においてシャワーヘッド２を切断した断面図である。図８は、図６におけるＣ−Ｃ線においてシャワーヘッド２を切断した断面図である。図９は、図７におけるＤ−Ｄ線においてシャワーヘッド２を切断した断面図である。
なお、以下の説明においては、図１におけるシャワーフック１３に掛止されたシャワーヘッド２の向きにおいて、シャワーヘッド２における壁面１２と反対側を前側Ｆ（前方側）とし、シャワーヘッド２における壁面１２側を後側Ｒ（後ろ側、後方側）とする。シャワーヘッド２を前側から見た左右の向きを左右方向Ｘという。また、鉛直方向に沿った上下の向きを上下方向Ｚとする。
【００１６】
本実施形態のシャワー装置１は、例えば、浴室（図示せず）などに配置される。シャワー装置１は、図１に示すように、シャワーヘッド２と、水栓（図示せず）と、ホース部１１と、を備える。水栓（図示せず）には、給水配管（図示せず）が接続され、この給水配管から湯水が供給される。ホース部１１には、一端部が水栓に接続され、他端部がシャワーヘッド２に接続される。ホース部１１には、水栓から供給される湯水が流通される。
【００１７】
ホース部１１は、ホース本体１１１と、ホース接続部材１１２と、連結部材１１３と、を有する。ホース接続部材１１２は、ホース本体１１１の先端に連結部材１１３を介して接続されている。ホース接続部材１１２の先端側の内周面には、後述する通水路形成部材６の外周ネジ部６１に螺合するホース側ネジ部１１２ａが形成されている。
【００１８】
シャワーヘッド２は、ホース部１１を介して、水栓（図示せず）に接続される。シャワーヘッド２は、ホース部１１から供給された湯水を吐出する。ホース部のホース接続部材１１２は、壁面１２に取り付けられたシャワーフック１３に掛止可能である。これにより、シャワーヘッド２は壁面１２に対して位置が固定される。
【００１９】
シャワーヘッド２は、カバー部材３と、散水板４と、散水板アダプタ５と、通水路形成部材６と、絞り部材としてのオリフィス部材７と、を備える。カバー部材３は、シャワーヘッド２の外形を構成し、ヘッドカバー部３１と、筒状カバー部３２と、を有する。ヘッドカバー部３１は、シャワーヘッド２の先端（上端）に配置される。筒状カバー部３２は、円筒状に形成され、ヘッドカバー部３１の下端部から、下方に延びる。ヘッドカバー部３１は散水部を構成し、筒状カバー部３２は把持部を構成する。
【００２０】
カバー部材３は、シャワーヘッド２がシャワーフック１３に掛止された状態において、先端側のヘッドカバー部３１が前側Ｆに傾斜した前傾姿勢の状態で配置される。
カバー部材３のヘッドカバー部３１は、前側Ｆに、円形状のカバー部材開口３１ａを有する。カバー部材開口３１ａには、カバー部材開口３１ａを閉じるように、円形の散水板４が取り付けられている。
散水板４は、散水板４を厚さ方向に貫通する複数の散水孔４１を有する。複数の散水孔４１は、散水板４のほぼ全域に形成されている。
【００２１】
散水板アダプタ５は、カバー部材３の先端部側であるヘッドカバー部の内部に配置される。散水板アダプタ５は、後述する通水路形成部材６の内部を流通する湯水を、散水板４に向けて流通させる。
散水板アダプタ５は、通水案内筒状部５１と、流路拡大部５２と、を有する。
通水案内筒状部５１は、円筒状に形成される。通水案内筒状部５１の上流側の端部は、後述する通水路形成部材６の下流側の端部に接続される。
流路拡大部５２は、通水案内筒状部５１の下流側の端部に接続され、通水案内筒状部５１に案内された湯水を、散水板４の背面側の空間において拡がらせて、散水板４の複数の散水孔４１に案内する。複数の散水孔４１に案内された湯水は、散水板４の表面側から散水される。
【００２２】
通水路形成部材６は、散水板アダプタ５の下端部に接続される。通水路形成部材６は、内部に湯水が流通する通水路を形成する。通水路形成部材６は、上下方向Ｚに延びる円筒状に形成され、ほぼ全体が、カバー部材３の内部に配置され、通水路形成部材６の下端部は、カバー部材３の下端部から、下方に突出した位置に配置される。
【００２３】
このとき、通水路形成部材６は、ホース部１１側のホース接続部材１１２との係合を可能にする程度にカバー部材３から上流側に突出していることが好ましい。図１で例示される本実施形態の如く長尺状の通水路形成部材６を使用する場合は、ホース部１１との接続強度の観点から当該長尺方向の１割程度の端部を残して長尺方向の７割以上、好ましくは８割以上の部分がカバー部材３内に挿入されていることが好ましい。通水路形成部材６の内部には、上流側から下流側に向けて、湯水が流通される。本実施形態においては、シャワーヘッド２の上方側及び下方側は、シャワーヘッド２がシャワーフック１３に掛止された状態（図１参照）における上方側及び下方側である。そのため、本実施形態においては、通水路形成部材６の下方側は、湯水の流通方向の上流側であり、通水路形成部材６の上方側は、湯水の流通方向の下流側である。
【００２４】
通水路形成部材６の上流側の端部には、図２及び図３に示すように、外周ネジ部６１と、Ｏリング係止部６２と、通水路形成部材側フランジ部６３と、第１空気導入孔としての一対の通水路形成部材側空気導入孔６４，６４と、が形成される。
【００２５】
外周ネジ部６１は、通水路形成部材６の上流側の端部の外周面に形成され、通水路形成部材６がホース部１１に接続される際に、図２に示すように、ホース部１１のホース接続部材１１２のホース側ネジ部１１２ａに螺合される。
【００２６】
Ｏリング係止部６２は、図３に示すように、外周ネジ部６１の下流側に隣接して形成される。Ｏリング係止部６２には、Ｏリング６２１が配置される。
【００２７】
通水路形成部材側フランジ部６３は、Ｏリング係止部６２の下流側に隣接して形成され、通水路形成部材６の外周面から、通水路形成部材６の径方向に環状に突出して形成される。通水路形成部材側フランジ部６３の前側Ｆには、通水路形成部材側フランジ部６３の外周面から径方向に窪む２つの凹部６３１，６３１が形成される。
【００２８】
２つの凹部６３１，６３１は、通水路形成部材側フランジ部６３における前側Ｆにおける通水路形成部材６の外周面において、通水路形成部材６の軸方向に延びる縦壁溝部６３２を挟んで周方向に離間して並んで配置される。２つの凹部６３１，６３１とカバー部材３の内周面との間の部分には、後述する第２空気導通孔としての外部連通空気導入孔３０１（図６参照）が形成される。
【００２９】
一対の通水路形成部材側空気導入孔６４，６４は、図３及び図４に示すように、通水路形成部材６の内部と外部とを連通する。一対の通水路形成部材側空気導入孔６４，６４は、それぞれ、通水路形成部材側フランジ部６３の上面において、通水路形成部材６の左右方向Ｘに離間して配置され、通水路形成部材６の内周面の接線において、通水路形成部材６の前後方向に貫通する。
【００３０】
一対の通水路形成部材側空気導入孔６４，６４は、図４に示すように、それぞれ、一対の側面開口６４１，６４１と、内面開口６４２と、を有する。一対の側面開口６４１，６４１は、通水路形成部材６の内周面の接線に沿って形成された貫通孔における通水路形成部材６の前後方向の両端部の周面に形成される開口であり、互いを繋ぐように前後方向に連通する。内面開口６４２は、通水路形成部材６の内周面に形成される開口であり、一対の側面開口６４１，６４１に連通する。
【００３１】
通水路形成部材側空気導入孔６４における内面開口６４２の下方側の縁部６４２ａ（通水路形成部材６の通水路の内周縁）には、後述するオリフィス部材７が通水路形成部材６の最上流側の端部側から挿入されることで、後述するオリフィス部材７の一対のオリフィス部材取付用係合部（係合部）７２４，７２４が係脱可能である。
【００３２】
絞り部材であるオリフィス部材７は、通水路形成部材６の最上流側の端部近傍に設置される。オリフィス部材７は、通水路形成部材６の最上流側の端部側に隣接して配置される。図２及び図３に示すように、オリフィス部材７は、通水路形成部材６の上流側の端部近傍において、通水路形成部材６の内部に配置され、通水路形成部材６の内部を流通する湯水の流路を絞る部材である。オリフィス部材７は、通水路形成部材側空気導入孔６４に係脱可能な一対のオリフィス部材取付用係合部７２４，７２４（後述）を有することにより、通水路形成部材６に対して着脱可能に構成される。本実施形態では、オリフィス部材７の上流側の端部７ａは、通水路形成部材６の上流側の端部６ａよりも内径側であって下流側に位置するよう配置されるため、結合強度に優れている。なお、「上流側の端部近傍」とは、通水路形成部材６の上流側の端部６ａと、オリフィス部材７の上流側の端部７ａとが必ずしも厳密に一致していなくてもよい。メンテナンス時の取り出しやすさ等を考慮すると、オリフィス部材７の上流側の端部７ａは、通水路形成部材６の上流側の端部６ａに０〜１０ｍｍ程度の範囲で近接していることが好ましい。オリフィス部材７は、通水路形成部材６の内部に全て収容されていてもよく、また、一部が外部が露出していてもよい。
【００３３】
オリフィス部材７は、図３及び図５に示すように、上流側に配置され且つ流路を狭めるノズル部材７１と、下流側に配置され且つ流路を拡げるディフューザー部材７２と、を有する。オリフィス部材７は、ノズル部材７１とディフューザー部材７２とによりユニット化されて構成される。ノズル部材７１及びディフューザー部材７２は、それぞれ、軸方向に貫通する筒状に形成される。ノズル部材７１及びディフューザー部材７２の中空部は、湯水が流通する流路を構成する。ノズル部材７１及びディフューザー部材７２は、オリフィス部材７として組み合わされた状態で、通水路形成部材６の内部に配置され、内部を湯水が流通する。
【００３４】
ノズル部材７１は、図５に示すように、上流側から下流側に向かって順に、ノズル側導入筒状部７１１と、ノズル側導入筒状部７１１の下流側に接続され且つ上流側から下流側に向かうにしたがって流路が狭くなるノズル側縮径筒状部７１２と、ノズル側縮径筒状部７１２の下流側に接続されるノズル側下流側筒状部７１３と、が形成される。
ノズル側導入筒状部７１１、ノズル側縮径筒状部７１２及びノズル側下流側筒状部７１３における湯水の流通方向に直交する内周面の断面形状は、円形状に形成される。つまり、本実施形態では、ノズル側導入筒状部７１１、ノズル側縮径筒状部７１２及びノズル側下流側筒状部７１３における湯水の通水路は、軸方向に貫通する中空部により構成される。
【００３５】
ノズル側導入筒状部７１１の内部には、通水路形成部材６の上流側の端部から導入された湯水が導入される。
ノズル側縮径筒状部７１２は、湯水が流れる流路が上流側から下流側に向かうにしたがって流路が狭くなっており、湯水の流速を速める。
ノズル側下流側筒状部７１３は、後述するディフューザー部材７２のディフューザー側上流側接続筒状部７２１に接続される。
【００３６】
ノズル側下流側筒状部７１３の下流側の端部には、ノズル側下流側筒状部７１３の左右方向の外面から突出する一対の位置決め突出部７１４，７１４が形成される。
一対の位置決め突出部７１４，７１４は、図５及び図９に示すように、所定の幅を有して形成され、ノズル側下流側筒状部７１３の外面から、ノズル側下流側筒状部７１３の径方向に互いが離れるように突出する。一対の位置決め突出部７１４，７１４は、ノズル部材７１がディフューザー部材７２に取り付けられた場合に、ディフューザー部材７２の内周面に形成される一対の位置決め部７２８，７２８により周方向の移動が規制されて、周方向の位置が規制される。
【００３７】
具体的には、ディフューザー部材７２の一対の位置決め部７２８，７２８は、図９に示すように、一対の位置決め突出部７１４，７１４に対応して、ディフューザー部材７２の内周面において、互いに対向して配置される。位置決め部７２８は、ディフューザー部材７２の内周面から突出すると共に周方向に離間して配置される複数の突出片７２７のうち、ノズル部材７１がディフューザー部材７２に取り付けられた場合に、一対の位置決め突出部７１４，７１４の幅方向の両側に配置される一対の突出片７２７、７２７により構成され、位置決め突出部７１４の周方向の移動を規制する。
【００３８】
ノズル部材７１の上流側の端部には、Ｏリング係止部７１５と、ノズル部材側フランジ部７１６と、一対のノズル部材側係合部７１７，７１７と、が形成される。
Ｏリング係止部７１５は、ノズル部材７１の上流側の端部から僅かに上方に形成される。Ｏリング係止部７１５には、Ｏリング７１５ａが配置される。
ノズル部材側フランジ部７１６は、Ｏリング係止部７１５の下流側に隣接して形成され、ノズル部材７１の外周面において、ノズル側導入筒状部７１１とノズル側縮径筒状部７１２との間に配置される。ノズル部材側フランジ部７１６は、ノズル部材７１の外周面から、ノズル部材７１の径方向に環状に突出して形成される。
【００３９】
一対のノズル部材側係合部７１７，７１７は、ノズル部材側フランジ部７１６の上面から上方側に延出するノズル部材側延出部７１７ａと、ノズル部材側延出部７１７ａの上端部に形成されるノズル部材側爪部７１７ｂと、を有する。
一対のノズル部材側係合部７１７，７１７は、それぞれ、弾性復帰力を有した状態で通水路形成部材６の径方向の中心側に変形可能である。
ノズル部材側爪部７１７ｂは、ノズル部材７１をディフューザー部材７２に取り付ける際に、後述するディフューザー部材７２一対のノズル部材取付開口７２６，７２６の下方側の縁部７２６ａに係脱可能である。
【００４０】
ディフューザー部材７２は、図５に示すように、上流側から下流側に向かって順に、ディフューザー側上流側接続筒状部７２１と、ディフューザー側上流側導入筒状部７２２と、上流側から下流側に向かうにしたがって流路が拡大するディフューザー側下流側拡径筒状部７２３と、が形成される。
ディフューザー側上流側接続筒状部７２１、ディフューザー側上流側導入筒状部７２２及びディフューザー側下流側拡径筒状部７２３における湯水の流通方向に直交する内周面の断面形状は、円形状に形成される。つまり、本実施形態では、ディフューザー側上流側接続筒状部７２１、ディフューザー側上流側導入筒状部７２２及びディフューザー側下流側拡径筒状部７２３における湯水の通水路は、軸方向に貫通する中空部により構成される。
【００４１】
ディフューザー側上流側接続筒状部７２１の内部には、ディフューザー部材７２にノズル部材７１を取り付ける場合に、ノズル部材７１のノズル側下流側筒状部７１３が挿入される。
ディフューザー側上流側導入筒状部７２２の内部には、ノズル部材７１のノズル側縮径筒状部７１２により流路が狭くなるよう流通された湯水が導入される。
ディフューザー側下流側拡径筒状部７２３は、ディフューザー側上流側導入筒状部７２２から導入された湯水を拡げる。
【００４２】
ディフューザー側上流側接続筒状部７２１には、通水路形成部材６の通水路形成部材側空気導入孔６４に係脱可能な一対のオリフィス部材取付用係合部７２４，７２４と、一対のオリフィス側空気導入孔７２５，７２５と、一対のノズル部材取付開口７２６，７２６と、が形成される。
【００４３】
一対のノズル部材取付開口７２６，７２６の下方側の縁部７２６ａには、ノズル部材７１の一対のノズル部材側爪部７１７ｂ，７１７ｂが係合される。一対のノズル部材取付開口７２６，７２６は、ディフューザー部材７２の周面を方形状に開口して貫通して形成され、ディフューザー部材７２の周面において、一対のノズル部材側係合部７１７，７１７に対応した位置に、互いに対向して形成される。
【００４４】
一対のオリフィス側空気導入孔７２５，７２５は、ディフューザー部材７２の周面を方形状に開口して貫通して形成され、ディフューザー部材７２の周面において、左右方向Ｘに離間して一対設けられる。
【００４５】
一対のオリフィス部材取付用係合部７２４，７２４は、それぞれ、オリフィス側空気導入孔７２５の下方側の縁部から上方側に延出するオリフィス部材取付用延出部７２４ａと、オリフィス部材取付用延出部７２４ａの上端部に形成されるオリフィス部材取付用爪部７２４ｂと、を有する。
一対のオリフィス部材取付用係合部７２４，７２４は、それぞれ、弾性復帰力を有した状態で通水路形成部材６の径方向の中心側に変形可能である。
オリフィス部材取付用爪部７２４ｂは、図４、図６及び図７に示すように、オリフィス部材７を通水路形成部材６に取り付ける際に、通水路形成部材６の通水路形成部材側空気導入孔６４の内面開口６４２の縁部６４２ａに係脱可能である。
【００４６】
以上のように構成されるオリフィス部材７は、通水路形成部材６の上流側の端部近傍に配置され、通水路形成部材６に対して、着脱可能に構成されるため、メンテナンス性を向上できる。また、オリフィス部材７を着脱することで、導入する空気の量や、湯水の掛け心地や、節水する水の量などを考慮して、オリフィス側空気導入孔７２５の大きさや数が異なる別のオリフィス部材に交換できる。
【００４７】
また、オリフィス部材取付用爪部７２４ｂを、図４、図６及び図７に示すように、通水路形成部材６の通水路形成部材側空気導入孔６４の内面開口６４２の縁部６４２ａに係合させるだけで、オリフィス部材７を通水路形成部材６に取り付けることができる。そのため、通水路形成部材６の通水路形成部材側空気導入孔６４を利用してオリフィス部材７を通水路形成部材６に取り付けることができるため、オリフィス部材取付用爪部７２４ｂに係合する係合部を通水路形成部材６に設けなくてよい。よって、オリフィス部材取付用爪部７２４ｂに係合する係合部を設けなくてよいため、通水路形成部材６に要するコストを低減できる。
【００４８】
また、オリフィス部材７は、ディフューザー部材７２のディフューザー側上流側接続筒状部７２１の内部にノズル部材７１のノズル側下流側筒状部７１３が挿入されて、ノズル部材７１のノズル部材側爪部７１７ｂが、ディフューザー部材７２のノズル部材取付開口７２６の下方側の縁部７２６ａに係合して取り付けられることで、ユニット化される。
【００４９】
オリフィス部材７は、ノズル部材７１とディフューザー部材７２とを一体化されたユニット化された状態で、通水路形成部材６の最上流において、通水路形成部材６に対して着脱可能である。具体的には、オリフィス部材７は、ノズル部材７１とディフューザー部材７２とを一体化されたユニット化された状態で、オリフィス部材７のオリフィス部材取付用爪部７２４ｂが通水路形成部材側空気導入孔６４に係合される。
【００５０】
ここで、オリフィス部材７を、ノズル部材７１とディフューザー部材７２との２部材で構成したことによる利点について説明する。
例えば、複数のオリフィス側空気導入孔を１つの部材で構成されたオリフィス部材に形成する場合に、孔の数が多くなると、オリフィス部材の強度が弱くなるため、形成する孔の数は、制限される。オリフィス部材の強度が弱くなると、通水路形成部材６の最上流側の端部に配置されるオリフィス部材７は、ホース部１１の取り付けや取り外しの際に、破損する可能性がある。
【００５１】
これに対して、本発明においては、オリフィス部材７を、ノズル部材７１とディフューザー部材７２との２つの部材で構成し、ノズル部材７１をディフューザー部材７２に対して着脱可能に一体的に構成してユニット化した。例えば、本実施形態においては、ディフューザー部材７２側に、複数のオリフィス側空気導入孔７２５を設けて、ディフューザー部材７２にノズル部材７１を係合させている。これにより、ディフューザー部材７２に複数のオリフィス側空気導入孔７２５を設けても、ディフューザー部材７２に取り付けたノズル部材７１により、ディフューザー部材７２の複数のオリフィス側空気導入孔７２５の近傍が補強され、オリフィス部材７の強度を確保することができる。
その結果、オリフィス部材７をノズル部材７１とディフューザー部材７２との２つの部材で構成することで、複数のオリフィス側空気導入孔７２５を設けてもオリフィス部材７の強度を確保できるため、オリフィス部材７の強度を保持しつつ、複数のオリフィス側空気導入孔７２５を介して、オリフィス部材７の内部に十分に空気を導入できる。
【００５２】
カバー部材３と通水路形成部材６の２つの凹部６３１，６１３との間には、図６及び図８に示すように、第２空気導入孔としての外部連通空気導入孔３０１が形成される。外部連通空気導入孔３０１は、通水路形成部材側空気導入孔６４とカバー部材３の外部とを連通する。外部連通空気導入孔３０１は、シャワーヘッド２の前側Ｆに配置される。
【００５３】
オリフィス側空気導入孔７２５、通水路形成部材側空気導入孔６４及び外部連通空気導入孔３０１は、通水路形成部材６の内部を下流側から上流側に戻る水を排出する排水孔を兼用する。
【００５４】
次に、上記のシャワーヘッド２の作用について説明する。
例えば湯水の供給を開始するレバー（図示せず）を開始位置に操作することで、図７に示すように、ホース部１１からシャワーヘッド２に供給された湯水Ｗは、通水路形成部材６に供給され、通水路形成部材６の内部に取り付けられたオリフィス部材７に到達する。オリフィス部材７に到達した湯水Ｗは、オリフィス部材７のノズル部材７１に流入する。ノズル部材７１において断面積が絞られた流路を通る湯水Ｗは、流速が加速して、ノズル部材７１の下流側に配置されたディフューザー部材７２に到達する。ディフューザー部材７２に到達した湯水Ｗは、ディフューザー部材７２において断面積が拡大（拡径）された流路を通過することで拡がる。
【００５５】
ここで、オリフィス部材７においては、湯水Ｗの流路が絞られて流速を加速させることで、オリフィス部材７の内部が負圧となる。そのため、図７及び図８に示すように、オリフィス部材７の内部には、カバー部材３と通水路形成部材６との間に形成される外部連通空気導入孔３０１、通水路形成部材６の通水路形成部材側空気導入孔６４、及びオリフィス部材７のオリフィス側空気導入孔７２５を介して、シャワーヘッド２の外部の空気Ａがオリフィス部材７の内部に吸引され、オリフィス部材７の内部には、空気Ａが導入される。
【００５６】
これにより、オリフィス部材７の内部を流通する湯水Ｗには、外部から導入された空気Ａが混合される。空気が混合された湯水ＷＡは、通水路形成部材６及び散水板アダプタ５を介して、散水板４の複数の散水孔４１から吐水される（図１参照）。
【００５７】
その後、湯水の供給を停止するレバー（図示せず）を停止位置に操作することで、シャワーヘッド２に供給された水栓（図示せず）からの湯水は、停止する。湯水の供給中又は供給後において、シャワーヘッド２は、図１に示すように、シャワーフック１３に掛止されている。
【００５８】
ここで、本実施形態においては、オリフィス部材７の内部に空気を導入した外部連通空気導入孔３０１、通水路形成部材６の通水路形成部材側空気導入孔６４、及びオリフィス部材７のオリフィス側空気導入孔７２５は、シャワーヘッド２の上流側の端部に配置されるため、シャワーヘッド２がシャワーフック１３に掛止された場合に、上下方向Ｚの下端部に位置する。そのため、シャワーヘッド２の散水板アダプタ５及び通水路形成部材６に残存した湯水は、重力により下方に移動しやすく、かつ、通水路形成部材６の内部に残存した湯水により水頭圧がかかりやすいため、オリフィス部材７の内部に空気を導入した外部連通空気導入孔３０１、通水路形成部材６の通水路形成部材側空気導入孔６４、及びオリフィス部材７のオリフィス側空気導入孔７２５に移動して、外部に排出される。その結果、湯水の供給を停止した場合に、散水板４の複数の散水孔４１から、湯水が垂れることを抑制できる。
【００５９】
また、シャワーヘッド２が前傾でシャワーフック１３に掛止されているため、シャワーヘッド２の内部に残存した湯水は、シャワーヘッド２の前側に移動しやすい。本実施形態においては、外部連通空気導入孔３０１は、シャワーヘッド２の前側に配置される。これにより、シャワーヘッド２の内部に残存した湯水を容易に外部へ排出できる。
【００６０】
以上説明した本実施形態に係るシャワーヘッド２によれば、以下のような効果を奏する。
本実施形態に係るシャワーヘッド２は、カバー部材３と、少なくとも一部がカバー部材３の内部に配置され、水が流通する通水路を形成すると共に、通水路形成部材側空気導入孔６４を有する通水路形成部材６と、通水路形成部材６の最上流の端部近傍に配置され、通水路形成部材６の内部を流通する水の流路をオリフィス部材７と、を備え、オリフィス部材７は、通水路形成部材６に対して着脱可能に構成される。
そのため、オリフィス部材７を、通水路形成部材６の最上流側の端部側から容易に着脱できる。これにより、オリフィス部材７の通水路形成部材６への組み付けが容易となるため、メンテナンス性を向上できる。また、オリフィス部材７を通水路形成部材６から着脱可能に構成したため、導入する空気の量や、湯水の掛け心地や、節水する水の量などを考慮して、オリフィス側空気導入孔７２５の大きさや数が異なる別のオリフィス部材に交換できる。
【００６１】
また、本実施形態においては、オリフィス部材７は、上流側に配置され且つ流路を狭めるノズル部材７１と、下流側に配置され且つ流路を拡げるディフューザー部材７２と、によりユニット化されて構成される。そのため、オリフィス部材７をノズル部材７１とディフューザー部材７２との２つの部材で構成することで、複数のオリフィス側空気導入孔７２５を設けてもオリフィス部材７の強度を確保できる。これにより、オリフィス部材７の強度を保持しつつ、複数のオリフィス側空気導入孔７２５を介して、オリフィス部材７の内部に十分に空気を導入できる。また、オリフィス部材７をノズル部材７１とディフューザー部材７２との２つの部材で構成することで、通水路形成部材６が曲がっていても、オリフィス部材７を曲がった通水路形成部材６に配置できる。
【００６２】
また、本実施形態においては、オリフィス部材７は、通水路形成部材側空気導入孔６４に係脱可能なオリフィス部材取付用係合部７２４を有する。そのため、通水路形成部材６の通水路形成部材側空気導入孔６４を利用してオリフィス部材７を通水路形成部材６に取り付けることができるため、オリフィス部材取付用爪部７２４ｂに係合する係合部を通水路形成部材６に設けなくてよい。よって、通水路形成部材６の通水路形成部材側空気導入孔６４を利用することで、オリフィス部材取付用爪部７２４ｂに係合する係合部を設けなくてよいため、通水路形成部材６の製造に要するコストを低減できる。
【００６３】
また、本実施形態においては、カバー部材３と通水路形成部材６との間に形成され、通水路形成部材側空気導入孔６４とカバー部材３の外部とを連通する外部連通空気導入孔３０１を有し、通水路形成部材側空気導入孔６４及び外部連通空気導入孔３０１は、通水路形成部材６の内部を下流側から上流側に戻る水を排出する排水孔を兼用する。そのため、シャワーヘッド２への湯水の供給が停止した場合に、シャワーヘッド２の内部に残存した湯水は、重力により下方に移動しやすく、かつ、通水路形成部材６の内部に残存した湯水により水頭圧がかかりやすいため、オリフィス部材７の内部に空気を導入した外部連通空気導入孔３０１及び通水路形成部材６の通水路形成部材側空気導入孔６４に移動しやすく、外部に容易に排出できる。その結果、湯水の供給を停止した場合に、シャワーヘッド２の先端側（散水板４の複数の散水孔４１）から、湯水が垂れることを抑制できる。
【００６４】
また、本実施形態においては、カバー部材３と通水路形成部材６との間に形成され、通水路形成部材側空気導入孔６４とカバー部材３の外部とを連通する外部連通空気導入孔３０１を有し、外部連通空気導入孔３０１は、シャワーヘッド２の前側に配置される。ここで、シャワーヘッド２が前傾でシャワーフック１３に掛止されている場合には、シャワーヘッド２の内部に残存した湯水は、シャワーヘッド２の前側に移動しやすい。そのため、外部連通空気導入孔３０１をシャワーヘッド２の前側Ｆに配置することで、シャワーヘッド２の内部に残存した湯水を容易に外部へ排出できる。
【００６５】
本発明は上記実施形態に限定されるものではなく、本発明の目的を達成できる範囲での変形、改良等は本発明に含まれる。
例えば、前記実施形態においては、通水路形成部材６のほぼ全部を、カバー部材３の内部に配置されるように構成したが、これに限定されない。カバー部材３の内部に配置される通水路形成部材６は、通水路形成部材６の少なくとも一部でもよく、通水路形成部材６の全部でもよい。
【００６６】
また、前記実施形態においては、オリフィス部材７（絞り部材）を、シャワーヘッド２の通水路形成部材６に着脱可能に配置するように構成したが、これに限定されない。例えば、絞り部材を、シャワーヘッド以外の通水路（例えば、吐水口等）に対して着脱可能に配置してもよい。
【００６７】
また、前記実施形態においては、外部連通空気導入孔３０１をシャワーヘッド２の前側Ｆに配置したが、これに限定されない。例えば、外部連通空気導入孔３０１をシャワーヘッド２の後側Ｒに配置してもよいし、外部連通空気導入孔３０１をシャワーヘッド２の前側Ｆ及び後側Ｒの両側に配置してもよい。外部連通空気導入孔３０１をシャワーヘッド２の後側Ｒに配置した場合には、湯水が外部連通空気導入孔３０１を介して、シャワーヘッド２の後側Ｒから湯水が外部に排出されるため、排出される湯水が目立ちにくく、見栄えを向上できる。
【００６８】
また、前記実施形態においては、係合部を爪部により構成したが、これに限定されず、係合部は、爪の形状でなくてもよい。また、係合部で係合するのではなく圧入等により固定してもよい。
【００６９】
また、前記実施形態においては、ノズル側縮径筒状部７１２の通水路を、円形状の１つの開口の径を絞ることで水の流路を絞るように構成したが、これに限定されない。水の流路を絞る構成としては、断面積の小さな開口を１つ設けて水の流路を絞るように構成してもよいし、断面積の小さな開口を複数設けて水の流路を絞るように構成してもよい。
【符号の説明】
【００７０】
１  シャワーヘッド装置
２  シャワーヘッド
３  カバー部材
６  通水路形成部材
７  オリフィス部材（絞り部材）
６４  通水路形成部材側空気導入孔（第１空気導入孔）
７１  ノズル部材
７２  ディフューザー部材
３０１  外部連通空気導入孔（第２空気導入孔）
７２４  オリフィス部材取付用係合部（係合部）
７２４ｂ  オリフィス部材取付用爪部（爪部）
Ｆ  前側
【図１】
2018114024.tif 000003
【図２】
2018114024.tif 000004
【図３】
2018114024.tif 000005
【図４】
2018114024.tif 000006
【図５】
2018114024.tif 000007
【図６】
2018114024.tif 000008
【図７】
2018114024.tif 000009
【図８】
2018114024.tif 000010
【図９】
2018114024.tif 000011